(57)【特許請求の範囲】
【請求項１】
電機子と、該電機子の回転中心となる回転軸と、前記電機子を内装するヨークハウジングと、を少なくとも備えるモータ本体と、
前記ヨークハウジングの開口部を被覆するエンドハウジングに組込まれ、回転電機軸方向に給電を行う給電用ターミナルと、が備えられた回転電機であって、
前記給電用ターミナルは、
外部電源より電力を受ける端子接続部と、
直接若しくは間接的にブラシと接続されるブラシ接続部と、
前記端子接続部と前記ブラシ接続部とを連結する延長部と、
雑防素子と接続を行うための雑防素子取付部と、を少なくとも有して構成されており、
前記給電用ターミナルが前記エンドハウジングに取付けられた際、
前記雑防素子取付部は、
前記延長部のうち、前記モータ本体側と前記回転軸の軸方向に最も離れた位置よりも、
前記モータ本体側と前記回転軸の軸方向側の位置に配設されるように構成されていることを特徴とする回転電機。
【請求項２】
前記延長部のうち、前記モータ本体側と前記回転軸の軸方向に最も離れた位置と、前記雑防素子取付部とは、
前記回転軸の軸方向において、段差をもって形成されていることを特徴とする請求項１に記載の回転電機。
【請求項３】
前記給電用ターミナルは、
チョークコイルを配設するためのチョークコイル取付部を更に備え、
該チョークコイル取付部には前記チョークコイルが備えられるとともに、該チョークコイルを介して前記ブラシに給電されることを特徴とする請求項１に記載の回転電機。
【請求項４】
前記給電用ターミナルは、
チョークコイルを配設するためのチョークコイル取付部を更に備え、
前記延長部の一部は、前記端子接続部と前記チョークコイル取付部との間に電気的に連続して形成されることを特徴とする請求項１に記載の回転電機。
【発明の詳細な説明】
【技術分野】
【０００１】
本発明は回転電機に係り、特に部品点数を削減し、低コスト化が可能な回転電機に関する。
【背景技術】
【０００２】
回転軸と電機子を有する回転電機においては、電機子を回転させるための電力を供給するためのブラシが使用される。
このブラシは、通常ブラシホルダに格納され、このブラシホルダは、ヨークハウジング開口部に嵌着される。
【０００３】
このブラシホルダには、ターミナルが配設されており、このターミナルの一端側はブラシに接続されるとともに、他端側には外部電源と接続された外部端子が接続される。
このように接続されているため、外部電源から供給される電力は、ターミナルからブラシへと伝達され、電機子を回転させる駆動力となる。
このように使用されるブラシホルダ、及びこれに配設されるターミナル等の部品は、モータを小型化・薄型化するために、様々な構造が提案されてきた。
【０００４】
例えば、このような回転電機においては、ブラシの摺接により発生する電気ノイズを抑制するためにチョークコイル等の部品が備えられることがあるが、このような部品を組み付ける際には、ブラシホルダとは別体の構造部品を設けたり、ブラシホルダ内に配置スペースを確保することが必要となり、電機素子が配置可能となるブラシホルダを専用設計する必要がある。
そのため、出願人は、チョークコイルの有無に関わらず、共通のブラシホルダを使用することができる技術を提案している（特許文献１参照）。
【０００５】
【特許文献１】特開２００３−０７９１０９号公報
【発明の開示】
【発明が解決しようとする課題】
【０００６】
特許文献１の技術では、リード線を介してブラシと接続されたチョークコイル等の導電部材が、収容部材に収容されると、このチョークコイル等の導電部材は、給電部から連続するようにインサート成形され、かつ、収容部に露出したターミナルの一部と結合された状態となり、ブラシに給電可能な状態となる。
このため、チョークコイル等の導電部材の種類を変更しても、通電経路が確保され、ブラシホルダの構造を簡単なものとすることができる。
【０００７】
しかし、特許文献１に記載の収容部材（ブラシホルダ）では、チョークコイル等の導電部材の種類を変更しても通電経路を確保できるが、チョークコイルの有無若しくはチョークコイルの種類によって、給電ターミナルの形状を変更する必要があり、部品点数が増えるという問題点があった。
また、コンデンサ等の雑防素子が配設される場合に、これを回避するような構造をとる必要もあり、この雑防素子の有無に関わらず、共通して使用される給電ターミナルの開発が望まれていた。
【０００８】
本発明の目的は、上記各問題点を解決することにあり、チョークコイル等の雑防素子の有無に関わらず、共通して使用できる給電ターミナルを備えることにより、部品点数を削減し、低コスト化が実現された回転電機を提供することにある。
【課題を解決するための手段】
【０００９】
上記課題は、本発明に係る回転電機によれば、電機子と、該電機子の回転中心となる回転軸と、前記電機子を内装するヨークハウジングと、を少なくとも備えるモータ本体と、前記ヨークハウジングの開口部を被覆するエンドハウジングに組込まれ、回転電機軸方向に給電を行う給電用ターミナルと、が備えられた回転電機であって、前記給電用ターミナルは、外部電源より電力を受ける端子接続部と、直接若しくは間接的にブラシと接続されるブラシ接続部と、前記端子接続部と前記ブラシ接続部とを連結する延長部と、雑防素子と接続を行うための雑防素子取付部と、を少なくとも有して構成されており、前記給電用ターミナルが前記エンドハウジングに取付けられた際、前記雑防素子取付部は、前記延長部のうち、前記モータ本体側と前記回転軸の軸方向に最も離れた位置よりも、前記モータ本体側と前記回転軸の軸方向側の位置に配設されることにより解決される。
【００１０】
このように、本発明においては、給電用ターミナルがエンドハウジングに取付けられた際、エンドハウジング底面部から回転電機軸方向の距離を、エンドハウジング底面部から雑防素子取付部までの距離が、エンドハウジング底面部から延長部の少なくとも一部までの距離より大きくなるように構成している。
つまり、延長部と雑防素子取付部とを段差を有するように配置したものである。
このため、この段差部分の空間に、コンデンサ等の雑防素子を組込むことができる。
換言すれば、この段差部分の空間が存在するために、コンデンサ等の雑防素子避けて、給電用ターミナルを配設することができる。
よって、雑防素子の有無に関わらず、共通の給電用ターミナルを使用することができ、部品点数を削減し、低コスト化が実現された回転電機を提供することが可能となる。
【００１１】
また、このとき、前記延長部のうち、前記モータ本体側と前記回転軸の軸方向に最も離れた位置と、前記雑防素子取付部とは、前記回転軸の軸方向において、段差をもって形成されていると、確実にコンデンサ等の雑防素子を避けて、給電用ターミナルを配設することができるため好適である。
【００１２】
更に、このとき、前記延長部の一部は、前記雑防素子に隣接していると、少ないスペースに、コンパクトに各部材を収めることができるため好適である。
【００１３】
また、このとき、前記給電用ターミナルは、チョークコイルを配設するためのチョークコイル取付部を更に備え、該チョークコイル取付部には前記チョークコイルが備えられるとともに、該チョークコイルを介して前記ブラシに給電されるよう構成されている。
このように、本発明に係る給電用ターミナルにおいては、ブラシ接続部と、チョークコイル取付部とが共に備えられている。
このため、チョークコイルを使用する場合には、このチョークコイル取付部にチョークコイルを取付けることによって、対応することができる。
なお、チョークコイルが不要な場合には、ブラシ接続部にピグテール等の給電線を介して給電用ターミナルとブラシを電気的に接続するとよい。
【００１４】
更に、このとき、前記給電用ターミナルは、チョークコイルを配設するためのチョークコイル取付部を更に備え、前記延長部の一部は、前記端子接続部と前記チョークコイル取付部との間に電気的に連続して形成されるよう構成されている。
このように構成されているため、雑防素子を回避しながら、コンパクトに給電用ターミナルを収めることができるとともに、チョークコイル等の有無に関わらず、共通の給電用ターミナルを使用することができる。
よって、部品点数を削減し、低コスト化が実現された回転電機を提供することが可能となる。
【発明の効果】
【００１５】
本発明によれば、チョークコイル等の雑防素子の有無に関わらず、共通して使用できる給電ターミナルを備えることにより、チョークコイル等の雑防素子の有無形状により構造を変更する必要がなく、部品点数を削減することができ、回転電機製造コストが低減される。
【発明を実施するための最良の形態】
【００１６】
以下、本発明の一実施形態を図面に基づいて説明する。
なお、以下に説明する構成は本発明を限定するものでなく、本発明の趣旨の範囲内で種々改変することができるものである。
本実施形態は、チョークコイル等の雑防素子の有無に関わらず、共通して使用できる給電ターミナルを備えることにより、部品点数を削減し、低コスト化が実現された回転電機に関するものである。
【００１７】
図１乃至図８は、本発明の一実施形態を示すものであり、図１はモータを示す説明図、図２はブラシホルダを含むエンドハウジングをモータ本体部から見た平面図、図３は第１ターミナルを示す平面図、図４は第１ターミナルを示す斜視図、図５は第２ターミナルを示す平面図、図６は第３ターミナルを示す平面図、図７はチョークコイルを使用した場合の各ターミナルの組付け図、図８はチョークコイルを使用しない場合の各ターミナルの組付け図である。
【００１８】
図１により、本実施形態に係る回転電機としてのモータＭの構成を説明する。
本実施形態に係るモータＭは、モータ本体部２、ブラシホルダ３を有して構成されている。
本実施形態に係るモータ本体部２は、ヨークハウジング４、マグネット５、電機子６、回転軸７、整流子９を有して構成されている。
ヨークハウジング４は有底略円筒状の部材であり、後述する電機子６を被覆し、その内部に格納する。
【００１９】
マグネット５はヨークハウジング４の内壁面に貼設された永久磁石であり、後述する電機子６の回転推進力となる磁力を供給する。
電機子６は、薄板を複数枚積層することにより形成され、表面に巻線が旋回された回転体であり、この巻線に通電されることにより発生する電磁力と、マグネット５の磁力の相互作用により回転する。
【００２０】
回転軸７は、電機子６の回転軸であり、その一端側（ヨークハウジング４底面部側）は、ベアリング８により回転可能に支承されている。
また、他端側（出力側）もまた、ベアリング８により回転可能に支承されている。
整流子９は、外部電源より給電されるブラシ１６と接触し、整流を行う電極であり、電機子６の出力側に配設されている。
【００２１】
また、ヨークハウジング４の開口部４ａには、ブラシホルダ３が嵌着される。
ブラシホルダ３は、ヨークハウジング４の開口部４ａを被覆する樹脂製のエンドハウジング１１を有して一体的に構成されている。
このエンドハウジング１１は、ヨークハウジング４の開口部４ａに嵌着されるハウジング本体部１１ａと、このハウジング本体部１１ａから径方向外側へ延設されるコネクタ部１１ｂとにより構成されている。
【００２２】
図２に示すように、本実施形態に係るブラシホルダ３及びハウジング本体部１１ａは、平面視略円形状の有底筒体であり、回転軸７の出力軸側に配設されている。
ハウジング本体部１１ａの中央部には、軸貫通孔１１ｃが形成さており、この軸貫通孔１１ｃにベアリング８が配設される。
このベアリング８に回転軸７の出力軸側が回転可能に支承される。
【００２３】
コネクタ部１１ｂは、横断面形状が略コ字状の部材で構成されている。
コネクタ部１１ｂの基端部側は、ハウジング本体部１１ａの側面部と連続しており、一体として形成されている。
【００２４】
ハウジング本体部１１ａとコネクタ１１ｂには、ハウジング本体部１１ａの軸貫通口１１ｃ付近から、コネクタ部１１ｂ基端部側へ向かって、軸貫通口１１ｃを避けるように延びる第１収容溝１１ｅ及び第２収容溝１１ｆが形成されている。
この第１収容溝１１ｅ及び第２収容溝１１ｆは、コネクタ部１１ｂ側からハウジング本体部１１ａへ向けて平行に延び、コネクタ部１１ｂとハウジング本体部１１ａとの境界部付近から軸貫通口１１ｃへ向かうに連れて、この軸貫通口１１ｃを避けるように離隔して形成される。
つまり、第１収容溝１１ｅと第２収容溝１１ｆは、エンドハウジング１１をモータ本体部２側から見たときに、略Ｙ字形状をなすように形成される。
【００２５】
なお、本実施形態においては、第１収容溝１１ｅ近傍と軸貫通口１１ｃとの間に雑防素子Ｔが組込まれる。
この雑防素子Ｔは、例えばコンデンサで構成され、チョークコイル等と共に、ノイズを消去するための回路が形成される。
【００２６】
なお、第１収容溝１１ｅのうちコネクタ部１１ｂ側の端部には、第１収容溝１１ｅの深さ方向に図示しない略矩形状の孔部が形成されている。
また、同様に第２収容溝１１ｆのうちコネクタ１１ｂ側にも、第２収容部１１ｆの深さ方向に図示しない孔部が形成されている。
これらの孔部は、各ターミナルを位置決めして固定する。
【００２７】
第１収容溝１１ｅ及び第２収容溝１１ｆには、それぞれ後述する第１ターミナル１３、第２ターミナル１４及び第３ターミナル１５が収容される。
第１ターミナル１３、第２ターミナル１４、第３ターミナル１５は、いずれも導電性を有する導電性素材で形成されており、ブラシ１６，１６を介して電機子６に給電するための部材である。
第１ターミナル１３及び第２ターミナル１４は、後述する外部端子を接続され、図示しない外部電源からの給電を受けることが可能となっている。
なお、後述するが、第３ターミナル１５は、第２ターミナル１４にチョークコイルＣを取付けるためのターミナルである。
【００２８】
第１ターミナル１３及び第２ターミナル１４には、それぞれブラシ１６，１６がピグテール１７，１７を介して接続されており、それぞれのブラシ１６，１６は、整流子９と摺接している。
なお、図１は第１ターミナル１３及び第２ターミナル１４に接続されたブラシ１６，１６のうち、一方のブラシ１６のみを記載してある。
【００２９】
図３及び図４に第１ターミナル１３の構造を示す。
第１ターミナル１３は、一枚の導電性金属板を打ち抜き、これを所定の形状に屈曲することにより形成されており、図３及び図４に示すように、第１端子接続部１３ａと、第１延長部１３ｂと、第１ブラシ接続部１３ｃと、第１枝部１３ｄと、第１チョークコイル接続部１３ｅと、第１ホルダ接続部１３ｆとを有して構成されている。
【００３０】
本実施形態に係る第１端子接続部１３ａは、略矩形板状の部位であり、図示しない外部端子と接触して外部電源からの給電を受ける部位である。
この第１端子接続部１３ａの中央部付近には、後述する第１延長部１３ｂが形成される側と逆方向に突出して、先端側が第１延長部１３ｂ方向に立ち下がった略Ｌ字形状の第１枝部１３ｄが形成されている。
本実施形態に係る第１延長部１３ｂは、第１端子接続部１３ａの一端側から、この第１端子接続部１３ａと略９０度をなすように屈曲して延びる板状の部位であり、第１収容溝１１ｅの形状に整合するように、また、雑防素子Ｔを回避可能となるように屈曲している。
この第１延長部１３ｂの構成については、後述する。
【００３１】
本実施形態に係る第１ブラシ接続部１３ｃは、第１延長部１３ｂのうち第１端子接続部１３ａと接する側と反対側の端部から第１端子接続部１３ａと同方向に立ち上がる部位であり、その先端部には、略矩形板状の第１ブラシ接続部位１３５が形成されている。
この第１ブラシ接続部１３ｃの略中央部から若干下方側（第１延長部１３ｂが形成されている側）には、雑防素子Ｔを接続するための第１雑防素子取付部１３６が形成されている。
この第１雑防素子取付部１３６は、略矩形状の爪状部材であり、第１ブラシ接続部１３ｃの所定位置から、第１ブラシ接続部１３ｃと所定の角度（鋭角）をなすように屈曲形成されている。
この第１雑防素子取付部１３６の上方側（第１延長部１３ｂが形成されている側と反対方向側）には、雑防素子Ｔを接続するための接続溝が形成されている。
【００３２】
本実施形態に係る第１チョークコイル接続部１３ｅは、第１ブラシ接続部１３ｃから第１延長部１３ｂと反対側に延びる略矩形板状部位である。
この第１チョークコイル接続部１３ｅの上部（第１延長部１３ｂが形成されている側と反対方向側）には、第１チョークコイル取付部位１３７が形成されている。
第１チョークコイル取付部位１３７は、先端側が略垂直に屈曲した略Ｌ字形状の部位であり、チョークコイルＣのフェライト部分を支持固定する台座となる。
この略垂直に屈曲した先端部分を「第１チョークコイル支持部位１３７ａ」と記す。
【００３３】
本実施形態に係る第１ホルダ接続部１３ｆは、第１チョークコイル接続部１３ｅの一端側（第１ブラシ接続部１３ｃ接続側と反対側）に下方向（第１ブラシ接続部位１３５が形成される側と反対側）に立ち下がるように形成された部位であり、第１ターミナル１３のチョークコイルＣ側を固定する。
【００３４】
第１端子接続部１３ａは、コネクタ部１１ｂ側に収容され、外部端子と直接接触する部位である。
第１延長部１３ｂは、第１収容溝１１ｅに沿った形状をしており、第１収容溝１１ｅに収容されて固定される。
この第１延長部１３ｂは、２段構成となっている。
【００３５】
つまり、コネクタ側導電部１３１、架橋導電部１３２、雑防素子側導電部１３３を有して、２段に構成されている。
コネクタ側導電部１３１は、第１端子接続部１３ａの一端側から、この第１端子接続部１３ａと略９０度をなすように屈曲して延びる板状の部位である。
なお、このコネクタ側導電部１３１の略中央部には、下方向に立ち下がる第１ホルダ接続突起１３８が形成されており、この第１ホルダ接続突起１３８は、第１ターミナル１３のコネクタ部１１ｂ側を固定する。
【００３６】
また、コネクタ側導電部１３１の他端側（第１端子接続部１３ａと連続形成される側と反対側）からは、架橋導電部１３２が略鉛直方向に立ち下がっている。
更に、架橋導電部１３２の他端側（コネクタ側導電部１３１と連続形成される側と反対側）からは、略垂直方向に折り曲がりコネクタ側導電部１３１と略平行に形成された雑防素子側導電部１３３が形成されている。
【００３７】
つまり、コネクタ側導電部１３１と雑防素子側導電部１３３とは、架橋導電部１３２の高さｈ分の高さの差異、つまり段差が形成される。
このため、第１雑防素子取付部１３６の位置が、架橋導電部１３２の位置よりも上方（回転軸７軸方向モータ本体２側）に位置することとなる。
つまり、第１ターミナル１３が取付けられた際、エンドハウジング１１の底面から回転軸７軸方向の距離をとると、第１雑防素子取付部１３６までの距離が、架橋導電部１３２までの距離よりも大きくなる。
【００３８】
よって、この高さｈの差異が形成されているため、雑防素子Ｔを効率良く避けて第１ターミナル１３を第１収容溝１１ｅに配設することができる。
以下、このコネクタ側導電部１３１、架橋導電部１３２、雑防素子側導電部１３３により形成される空間を「雑防素子配設空間Ｋ」と記す。
【００３９】
また、第１ブラシ接続部１３ｃは、通常、ブラシ１６が接続される部位であり、ブラシ１６との配線であるピグテール１７を接続する孔が形成されている。
チョークコイルＣを接続する場合には、ブラシ１６はチョークコイルＣ及びピグテール１７を介して接続されるため、この第１ブラシ接続部１３ｃはブラシ１６との電気的接続のためには使用されない。
【００４０】
第１枝部１３ｄは、第１ターミナル１３の傾斜を抑制して第１収容溝１１ｅからの抜け止めを行うための機能を有する突起である。
第１枝部１３ｄが、エンドハウジング１１に形成された孔部に押し込まれて嵌合されることにより、第１ターミナル１３のコネクタ部１１ｂ側の端部が位置決めされて不動となる。
【００４１】
第１ターミナル１３が第１収容溝１１ｅに収容されると、第１端子接続部１３ａは、コネクタ部１１ｂの接続孔１１ｄ内で露出し、回転軸７と平行に突出した状態となる。
また、第１ブラシ接続部１３ｃは、軸貫通孔１１ｃの近傍から回転軸７と平行方向に突出する。
モータ本体部２とブラシホルダ３が連結したとき、第１ブラシ接続部１３ｃの自由端側は、整流子９近傍に位置する。
このため、チョークコイルＣを接続しない場合には、ブラシ接触部１３ｃにピグテール１７を介して接続されたブラシ１６が整流子９と接触し、第１ターミナル１３は、ピグテール１７、ブラシ１６、整流子９を介して電機子６と電気的に接続する。
【００４２】
また、第１チョークコイル接続部１３ｅに取付けられたチョークコイルＣの先端側端部も軸貫通孔１１ｃの近傍から回転軸７と平行方向に突出する。
このため、チョークコイルＣを接続した場合には、チョークコイルＣ先端部にピグテール１７を介して接続されたブラシ１６が整流子９と接触し、第１ターミナル１３は、チョークコイルＣ、ピグテール１７、ブラシ１６、整流子９を介して電機子６と電気的に接続する。
【００４３】
図５により、第２ターミナル１４の構造を説明する。
各部の機能等は、第１ターミナル１３と同様であるために説明は省略する。
第２ターミナル１４は、第１ターミナル１３同様、一枚の導電性金属板を打ち抜き、これを所定の形状に屈曲することにより形成されており、図５に示すように、第２端子接続部１４ａと、第２延長部１４ｂと、第２ブラシ接続部１４ｃと、第２枝部１４ｄとを有して構成されている。
【００４４】
本実施形態に係る第２端子接続部１４ａは、略矩形板状の部位であり、図示しない外部端子と接触して外部電源からの給電を受ける部位である。
この第２端子接続部１４ａの中央部付近には、後述する第２延長部１４ｂが形成される側と逆方向に突出して、先端側が第２延長部１４ｂ方向に立ち下がった略Ｌ字形状の第２枝部１４ｄが形成されている。
【００４５】
本実施形態に係る第２延長部１４ｂは、第２端子接続部１４ａの一端側から、この第２端子接続部１４ａと略９０度をなすように屈曲して延びる板状の部位であり、第２収容溝１１ｆの形状に整合するように屈曲している。
この第２延長部１４ｂの中央部より若干後述する第２ブラシ接続部１４ｃ側の位置には、下方より第２端子接続部１４ａが形成される方向へと立ち上る第２雑防素子取付部１４６が形成されている。
この第２雑防素子取付部１４６は、雑防素子Ｔを接続するための部位であり、略矩形状の爪状部材として形成されている。
また、この第２雑防素子取付部１４６の上方側（第２端子接続部１４ａが形成されている方向側）には、雑防素子Ｔを接続するための接続溝が形成されている。
【００４６】
また、第２延長部１４ｂの第２端子接続部１４ａ側端部には、下方向に立ち下がる第２ホルダ接続突起１４８が形成されており、この第２ホルダ接続突起１４８は、第２ターミナル１４のコネクタ部１１ｂ側を固定する。
【００４７】
本実施形態に係る第２ブラシ接続部１４ｃは、第２延長部１４ｂのうち第２端子接続部１４ａと接する側と反対側の端部から第２端子接続部１４ａと同方向に立ち上がる部位であり、その先端部には、略矩形板状の第２ブラシ接続部位１４５が形成されている。
【００４８】
次いで、図６により、第３ターミナル１５の構造を説明する。
各部の機能等は、第１ターミナル１３と同様であるために説明は省略する。
第３ターミナル１５は、第１ターミナル１３及び第２ターミナル１４同様、一枚の導電性金属板を打ち抜き、これを所定の形状に屈曲することにより形成されており、図６に示すように、第３ブラシ接続部１５ｃと、第３チョークコイル接続部１５ｅと、第３ホルダ接続部１５ｆとを有して構成されている。
【００４９】
本実施形態に係る第３ブラシ接続部１５ｃは、略矩形状の板状部位であり、その先端側が第２ターミナル１４に形成されている第２ブラシ接続部位１４５と整合する形状となっている。
本実施形態に係る第３チョークコイル接続部１５ｅは、第３ブラシ接続部１５ｃから略垂直方向に延びる略矩形板状部位である。
この第３チョークコイル接続部１５ｅの上部（第３ブラシ接続部１５ｃの先端側）には、第３チョークコイル取付部位１５７が形成されている。
この第３チョークコイル取付部１５７は、第１チョークコイル取付部位１３７同様、先端側が略垂直に屈曲した略Ｌ字形状の部位であり、チョークコイルＣのフェライト部分を支持固定する台座となる。
この略垂直に屈曲した先端部分を「第３チョークコイル支持部位１５７ａ」と記す。
【００５０】
本実施形態に係る第３ホルダ接続部１５ｆは、第３チョークコイル接続部１５ｅの一端側（第３ブラシ接続部１５ｃ接続側と反対側）に下方向（第３ブラシ接続部１５ｃの先端側と反対側）に立ち下がるように形成された部位であり、第３ターミナル１５のチョークコイルＣ側を固定する。
【００５１】
この第２ターミナル１４と第３ターミナル１５とは、組合わせて使用することが可能である。
つまり、チョークコイルＣを配設する場合には、チョークコイルＣを配設した第３ターミナル１５を第２ターミナル１４に組合わせて、第２収容溝１１ｆへと配設することができる。
また、チョークコイルＣを配設しない場合には、第２ターミナル１４のみを使用し、この第２ターミナル１４のみを第２収容溝１１ｆへと配設する。
以下、これらの配設方法について説明する。
【００５２】
図７により、チョークコイルＣを配設する場合を説明する。
第１収容溝１１ｅには、第１ターミナル１３が配設される。
この場合、第１ターミナル１３は、第１チョークコイル接続部１３ｅに形成された第１チョークコイル取付部位１３７の第１チョークコイル支持部位１３７ａにチョークコイルＣが取付けられた状態で、第１収容溝１１ｅに配設される。
このとき、第１延長部１３ｂには、段差により形成された雑防素子配設空間Ｋが構成されているため、雑防素子Ｔを回避して、第１ターミナル１３を配設することができる。
また、第１ブラシ接続部１３ｃに形成された第１雑防素子取付部１３６には、雑防素子Ｔが接続される。
ブラシ１６には、チョークコイルＣ先端側に接続されたピグテール１７を介して給電される。
【００５３】
また、第２ターミナル１４は、第３ターミナル１５と組合わせて使用される。
まず、第３ターミナル１５の第３チョークコイル接続部１５ｅに形成された第３チョークコイル取付部位１５７にチョークコイルＣが取付けられる。
このとき、チョークコイルＣは、第３チョークコイル支持部位１５７ａに取付けられる。
このようにチョークコイルＣが取付けられた第３ターミナル１５は、第２ターミナル１４と組合される。
【００５４】
これは、第３ターミナル１５の第３ブラシ接続部位１５ｃと、第２ターミナル１４の第２ブラシ接続部１４ｃとを重ね合わせることにより組合される。
このとき、第３ターミナル１５の第３ブラシ接続部１５ｃの先端部と、第２ターミナル１４の第２ブラシ接続部１４５とを合わせて組合わせる（前述の通り、第３ブラシ接続部１５ｃの先端部の形状と第２ブラシ接続部位１４５の形状とは整合するように形成されている）。
【００５５】
このように、チョークコイルＣが取付けられた第３ターミナル１５と第２ターミナル１４とを組合わせたものが、第２収容溝１１ｆに配設される。
また、第２雑防素子取付部１４６には、雑防素子Ｔが接続される。
ブラシ１６には、チョークコイルＣ先端側に接続されたピグテール１７を介して給電される。
【００５６】
図８により、チョークコイルＣが配設されない場合を説明する。
第１収容溝１１ｅには、第１ターミナル１３が配設される。
なお、第１チョークコイル取付部１３７には、チョークコイルＣが取付けられない状態で、第１収容溝１１ｅに配設される。
このとき、第１延長部１３ｂには、段差により形成された雑防素子配設空間Ｋが構成されているため、雑防素子Ｔを回避して、第１ターミナル１３を配設することができる。
また、第１ブラシ接続部１３ｃに形成された第１雑防素子取付部１３６には、雑防素子Ｔが接続される。
ブラシ１６には、第１ブラシ接続部位１３５先端側に接続されたピグテール１７を介して給電される。
【００５７】
また、チョークコイルＣが配設されない場合には、第２ターミナル１４のみが使用され、第３ターミナル１５は使用されない。
第２ターミナル１４は、第２収容溝１１ｆに配設される。
また、第２雑防素子取付部１４６には、雑防素子Ｔが接続される。
ブラシ１６には、第２ブラシ接続部位１４５先端側に接続されたピグテール１７を介して給電される。
【００５８】
以上のように、本実施形態に係る第１ターミナル１３、第２ターミナル１４、第３ターミナル１５によれば、チョークコイルＣを使用の有無に関わらず、ターミナルとして適用することができる。
また、第１ターミナル１３は、雑防素子Ｔを回避できる構成となっているため、雑防素子Ｔの有無に関わらず、ターミナルとして適用することができる。
【図面の簡単な説明】
【００５９】
【図１】本発明の一実施形態に係るモータを示す説明図である。
【図２】本発明の一実施形態に係るブラシホルダを含むエンドハウジングをモータ本体部から見た平面図である。
【図３】本発明の一実施形態に係る第１ターミナルを示す平面図である。
【図４】本発明の一実施形態に係る第１ターミナルを示す斜視図である。
【図５】本発明の一実施形態に係る第２ターミナルを示す平面図である。
【図６】本発明の一実施形態に係る第３ターミナルを示す平面図である。
【図７】本発明の一実施形態に係るチョークコイルを使用した場合の各ターミナルの組付け図である。
【図８】本発明の一実施形態に係るチョークコイルを使用しない場合の各ターミナルの組付け図である。
【符号の説明】
【００６０】
２‥モータ本体部、３‥ブラシホルダ、
４‥ヨークハウジング、４ａ‥開口、
５‥マグネット、６‥電機子、７‥回転軸、８‥ベアリング、９‥整流子、
１１‥エンドハウジング、
１１ａ‥ハウジング本体部、１１ｂ‥コネクタ部、１１ｃ‥軸貫通孔、１１ｅ‥第１収容溝、１１ｆ‥第２収容溝、
１３‥第１ターミナル、
１３ａ‥第１端子接続部、１３ｂ‥第１延長部、１３ｃ‥第１ブラシ接続部、
１３ｄ‥第１枝部、１３ｅ‥第１チョークコイル取付部、１３ｆ‥第１ホルダ接続部、
１３１‥コネクタ側導電部、１３２‥架橋導電部、１３３‥雑防素子側導電部、
１３５‥第１ブラシ接続部位、１３６‥第１雑防素子取付部、
１３７‥第１チョークコイル取付部、１３７ａ‥第１チョークコイル支持部位、
１３８‥第１ホルダ接続突起、
１４‥第２ターミナル、
１４ａ‥第２端子接続部、１４ｂ‥第２延長部、１４ｃ‥第２ブラシ接続部、
１４ｄ‥第２枝部、
１４５‥第２ブラシ接続部位、１４６‥第２雑防素子取付部、
１４８‥第２ホルダ接続突起、
１５‥第３ターミナル
１５ｃ‥第３ブラシ接続部、１５ｅ‥第３チョークコイル取付部、
１５ｆ‥第３ホルダ接続部、
１５７‥第３チョークコイル取付部、１５７ａ‥第３チョークコイル支持部位、
１６‥ブラシ、１７‥ピグテール、
Ｃ‥チョークコイル、Ｋ‥雑防素子配設空間、Ｍ‥モータ、Ｔ‥雑防素子
【図１】
0005249626.tif 000002
【図２】
0005249626.tif 000003
【図３】
0005249626.tif 000004
【図４】
0005249626.tif 000005
【図５】
0005249626.tif 000006
【図６】
0005249626.tif 000007
【図７】
0005249626.tif 000008
【図８】
0005249626.tif 000009